(57)【要約】【課題】  同じ場所に居ながら、四季おりおりの自然環境に浸ったり、旅行気分に浸ったり、家族や友人と一緒になって常時コミュニケーションが図れ、多様性に富んだ生活が図れる住居を提供する。【解決手段】  玄関２と、居間６と、寝室と、台所３と、トイレ８と、風呂１０とを備えた住居において、すくなくとも居間６の天井や壁に植物１５，１７，１８，２０を植え込み、フロアーに池，丘を形成して当該居間を庭園風に成形し、風呂を露天風呂風に成形し、老人、体の不自由な人又は被介護者が自宅に居住しながら自然環境に浸れたり、旅行気分に浸れたりするようにした。【選択図】  図１
2007291701.tif 000002
【特許請求の範囲】
【請求項１】
玄関と、居間と、寝室と、台所と、トイレと、風呂とを備えた住居において、少なくとも居間の天井や壁に植物を植え込み、フロア-に池，丘を形成して当該居間を庭園風に成形し、風呂を露天風呂風に成形し、老人、体の不自由な人又は被介護者が自宅に居住しながら自然環境に浸れたり、旅行気分に浸れたりするようにした住居。
【請求項２】
各室間に連なるフロアーをバリアフリーに成形している請求項１の住居。
【請求項３】
居間にテーブルや椅子を配置し、椅子に座りながら居間内の風景を鑑賞し、懇談し、食事をとれるようにしている請求項１又は２の住居。
【請求項４】
露天風呂と居間とを仕切るカーテンをスライド自在に設置し、カーテンの表面，裏面又は両面に居間又は浴室から鑑賞できる植物を取り付けたり、山や海の風景を描いたりしている請求項１，２又は３の住居。
【請求項５】
居間又は風呂を設置した室の天井に開閉式の窓を形成し、夜間に星空を鑑賞できるようにしている請求項１，２，３又は４の住居。
【請求項６】
台所がレストラン、バー又は喫茶ルーム風に成型されている請求項１，２，３，４又は５の住居。
【発明の詳細な説明】
【技術分野】
【０００１】
本発明は、一般住居に関し、特に、老人や被介護者が自然環境に浸れ、孤独感を感じることなく、生活ができる住居に関する。
【背景技術】
【０００２】
一般の都市住宅は、生活に必要な玄関，フロアー，和室又は洋室，寝室，トイレ，台所等が設置されているのが普通である。
【０００３】
しかし、体の不自由な人，老人、被看護者がこのような一般住宅で生活していると毎日毎日変化が無く、ストレスがたまり、運動不足となり、かえって体に良くない。
【０００４】
そこで、例えば、特許文献１に示すように、被介護者が外気に触れる機会を多くすることができると共に被介護者が家族や友人とのコミュニケーションを図れやすくして、被介護人が孤独感を感じることを回避できる中庭付住宅が開発されている。
【特許文献１】特開２００２‐１６７９８３号公報（請求項１、図１参照）
【発明の開示】
【発明が解決しようとする課題】
【０００５】
しかしながら、上記のような特許文献１に示す住宅では常に中庭が設置されているだけで、生活環境が大きく変化するわけでは無く、いずれあきられてしまう不具合がある。
【０００６】
即ち、体の不自由な人，老人，被看護者等は一人で自由に外出できず、従って、旅行したり、海や山に行ったり、自然環境の中で生活できるチャンスが非常に少なく、単に中庭が設置された住宅中での生活には飽き足らなくなり、元のストレスのたまった生活に戻るおそれがある。
【０００７】
そこで、本発明の目的は、同じ場所に居ながら、四季おりおりの自然環境に浸ったり、旅行気分に浸ったり、家族や友人と一緒になって常時コミニュケ−ションが図れ、多様性に富んだ生活が図れる住居を提供することである。
【課題を解決するための手段】
【０００８】
上記の目的を達成するため、本発明の一つの手段は、玄関と、居間と、寝室と、台所と、トイレと、風呂とを備えた住居において、少なくとも居間の天井や壁に植物を植え込み、フロアーに池，丘を形成して当該居間を庭園風に成形し、風呂を露天風呂風に成形し、老人、体の不自由な人又は被介護者が自宅に居住しながら自然環境に浸れたり、旅行気分に浸れたりするようにしたことを特徴とするものである。
【０００９】
この場合、  各室間に連なるフロアーをバリアフリーに成形しているのが好ましい。
【００１０】
同じく、居間にテーブルや椅子を配置し、椅子に座りながら居間内の風景を鑑賞し、懇談し、食事をとれるようにしているのが好ましい。
【００１１】
同じく、露天風呂と居間とを仕切るカーテンをスライド自在に設置し、カーテンの表面，裏面又は両面に居間又は浴室から鑑賞できる植物を取り付けたり、山や海の風景を描いたりするのが好ましい。
【００１２】
同じく、居間又は風呂を設置した室の天井に開閉式の窓を形成し、夜間に星空を鑑賞できるようにしても良い。
【００１３】
同じく、台所がレストラン、バー又は喫茶ルーム風に成型されているのが好ましい。
【発明の効果】
【００１４】
各請求項の発明によれば、玄関，居間、寝室，台所、風呂、トイレ等との日常生活に必要な室や設備が全て備えられているので、普通の生活は通常通りに行なえる。
【００１５】
その上で、居間の天井や壁に生の植物、又は加工した造花等の植物を植え込み、あるいは張り巡らせることにより、この居間が庭園風、公園風、山風に形成されているから、居間に居るだけで自然環境に浸る事が出来る。
【００１６】
又、風呂が露天風呂風に成形されているから旅館に宿泊している気分にも浸る事が出来る。
【００１７】
この為、老人、体の不自由な人、被介護者はわざわざ海，山又は公園に行かなくても自宅で自然環境に浸り、旅行している気分にも浸れ、ストレスが溜まることなく、精神や肉体が何時も新鮮でリフレッシュされる。
【００１８】
本発明の住居は、家族や友人が居間に集まりやすく、家族同士や友人同士のコミュニケーションを図れ、一緒に食事をし、懇談し、老人や被介護者の孤独感を解消できる。
【発明を実施するための最良の形態】
【００１９】
以下に、本発明の実施の一例を図に基づいて説明するが、図１乃至図４は、本発明の一実施の形態に係わる住居を示し、一個建て住宅又はマンション等の集合住宅全てに適用できる。
【００２０】
この住居は、図１の平面図に示すように、例えば、壁１で仕切られた２ＬＤＫの住宅であり、この住居は、玄関２，廊下３、洋室４、和室５、居間６、洗面所７、トイレ８、ベランダ風の浴室９、浴室９内に設置した露天風呂１０、キッチン１１、収納ケース１２等を備え、これらの設備で普通の生活が出来る様になっている。
【００２１】
各部屋は、バリアフリーのフロアーで繋がっており、体の不自由な人、被介護者でもつまずくことなく各部屋を往来出来るようになっている。
【００２２】
図１，図２に示すように、居間６のフロアー１２は、レンガで成形され、又は、レンガ風のシートが敷設され、このフロアー１２上にはテーブル１３と、椅子１４と、天然又は加工した植木等，花等の植物１５が多数設置され、更に、この居間の天井や壁にシダ、バラ等の植物１７，１８を張り巡らし、これにより、この居間６を庭園風、山岳風に見せかける事が出来き、又、この居間６に池や丘、噴水等を設置しても良い。
【００２３】
この為、この居間は、家族や友達が集まって懇談したリ、食事をしたりすることができ、また、コミュニケーションを図る場所として使用でき、しかも、植物１５，１７，１８等の自然物体が設置されていることにより、老人や被介護者が居間６の中で自然環境に浸ることができ、海、湖、山等に旅行した気分に浸る事が出来る。
【００２４】
浴室９もフロアー１６がレンガで成形され、又は、レンガ風、石風のシートが敷設されているが、このフロアー１６は、居間６のフロアー１２と同じ高さのバリアフリー式に成形されているが、ベランダ風に見せかける為、又は、旅館の外の庭風に見せかける為、一段高くしたり、又は一段低くしたりして成形しても良い。
【００２５】
露天風呂１０は、通常の風呂でも良いが、露天風呂風に成形することにより旅館に泊まっている雰囲気を出す事が出来る。
【００２６】
更に、浴室９と居間６との間には、スライド式のカーテン１９がレールを介して開閉自在に設置されており、このカーテン１９の表裏にもシダ、バラ、その他のツル植物２０が多数取り付けられており、居間６に居ながら、又は、露天風呂１０に入りながら自然環境に浸ることが出来るし、植物を愛でることが出来て気分を爽快にする事が出来る。
【００２７】
上記カーテン１９の表裏には、海，山，川、湖その他の自然の風景を描いておいても良く、映画やビデオのスクリーンとして利用し、世界中の風景を映写しながら旅行気分に浸らせる事も出来る。
【００２８】
台所３には、図２に示すように、食器棚２１や、食器２２、ウイスキー、日本酒、等を用意しておき、基本的には、料理をするが、時としてバー、喫茶ルーム、レストラン風の場所として利用するようにしても良い。
【００２９】
各部屋の周りには当然窓、ドアーが設置されているが、これらの窓、ドアーあるいは天井を開閉式にして夜間に星空を観賞するようにしても良く、あるいはこの場所に天体の星を観察する天体望遠鏡を設置しても良い。
【図面の簡単な説明】
【００３０】
【図１】本発明の一実施の形態にかかわる住居の平面図である。
【図２】居間と台所の斜視図である。
【図３】カーテンを閉めたときの居間の斜視図である。
【図４】カーテン開けた時の居間と浴室の斜視図である。
【符号の説明】
【００３１】
１  壁
２  玄関
３  廊下
４  洋室
５  和室
６  居間
７  洗面所
８  トイレ
９  浴室
１０  露天風呂
１１  台所
１３  テーブル
１４  椅子
１５，１７，１８，２０  植物
１９  カーテン
【図１】
2007291701.tif 000003
【図２】
2007291701.tif 000004
【図３】
2007291701.tif 000005
【図４】
2007291701.tif 000006